(57)【要約】    【課題】  全ズーム範囲及び物体距離全般にわたり高い光学性能を有したズームレンズを得ること。    【解決手段】  物体側から像側へ順に、正の屈折力の第１レンズ群Ｌ１、負の屈折力の第２レンズ群Ｌ２、正の屈折力の第３レンズ群Ｌ３、正又は負の屈折力の第４レンズ群Ｌ４、正の屈折力の第５レンズ群Ｌ５とを有し、第２、第３、第５レンズ群が、ズーミングに際して移動すること。【選択図】  図１
2006184776.tif 000002
【特許請求の範囲】
【請求項１】
物体側から像側へ順に、正の屈折力の第１レンズ群、負の屈折力の第２レンズ群、正の屈折力の第３レンズ群、第４レンズ群、正の屈折力の第５レンズ群とを有し、該第２、第３、第５レンズ群は、ズーミングに際して移動することを特徴とするズームレンズ。
【請求項２】
前記第４レンズ群の物体側にズーミングに際して固定の開口絞りを有することを特徴とする請求項１のズームレンズ。
【請求項３】
前記第５レンズ群は、フォーカシングに際して移動することを特徴とする請求項１又は２のズームレンズ。
【請求項４】
前記第４レンズ群は、負レンズと正レンズを有することを特徴とする請求項１、２又は３のズームレンズ。
【請求項５】
広角端から望遠端へのズーミングに際して、前記第３レンズ群は、物体側に凸状の軌跡を有するように移動すると共に、該第３レンズ群がズーミングに際して最も物体側に位置するときのズーム位置をＺａとし、広角端からズーム位置Ｚａに至るまでの該第２レンズ群の移動量をＤ２ｍ，広角端から望遠端に至るまでの該第２レンズ群の移動量をＤ２ｔとするとき、
【数１】
2006184776.tif 000009
なる条件を満足することを特徴とする請求項１から４のいずれか１項のズームレンズ。
【請求項６】
広角端における前記第１レンズ群と前記第３レンズ群の間隔をＢ１３ｗ、前記第２レンズ群の最も物体側の面から最も像側の面までの間隔をＢ２，広角端から望遠端に至るまでの該第２レンズ群の移動量をＤ２tとするとき、
【数２】
2006184776.tif 000010
なる条件を満足することを特徴とする請求項１から５のいずれか１項のズームレンズ。
【請求項７】
固体撮像素子上に像を形成することを特徴とする請求項１から６のいずれか１項のズームレンズ。
【請求項８】
請求項１から７のいずれか１項のズームレンズと、該ズームレンズによって形成された像を受光する固体撮像素子を有していることを特徴とする撮像装置。
【発明の詳細な説明】
【技術分野】
【０００１】
本発明は、ズームレンズ及びそれを有する撮像装置に関し、ビデオカメラやデジタルスチルカメラ等の電子カメラやフィルム用カメラや放送用カメラ等に好適に用いられるものである。
【背景技術】
【０００２】
従来、写真用カメラやビデオカメラなどに使われるズームレンズにおいて、物体側の第１レンズ群より後方（像側）のレンズ群を移動させてフォーカスを行う、いわゆるリアフォーカス方式を採用した例が種々と提案されている。
【０００３】
リアフォーカス方式は、比較的小型軽量のレンズ群を移動させるので、レンズ群の駆動量が小さくてすみ、かつ、迅速な焦点合わせができるのでオートフォーカスシステムとの相性が良い等の特長がある。
【０００４】
リアフォーカス式のズームレンズとして、全体として５つのレンズ群より成るズームレンズが知られている（特許文献１〜３）。
【０００５】
特許文献１は、物体側から像側へ順に、ズーミング中固定で正の屈折力の第１レンズ群、ズーミングに際し光軸上を移動する負の屈折力の第２レンズ群、正の屈折力の第３レンズ群、負の屈折力の第４レンズ群、そして変倍による像点位置の補正を行うため、光軸上を移動する第５レンズ群から成り、第３レンズ群と第４レンズ群のうち少なくとも一群がズーミングに際しに移動し、フォーカシングは第３〜第５レンズ群のうちの少なくとも１つのレンズ群の移動によって行うズームレンズを開示している。
【０００６】
特許文献２は、物体側より像側へ順に、正の屈折力の第１レンズ群、負の屈折力の第２レンズ群、正の屈折力の第３レンズ群、正の屈折力の第４レンズ群そして正の屈折力の第５レンズ群の５つのレンズ群を有し、広角端から望遠端へのズーミングの際には、第２レンズ群を像面側へ移動させると共に、第３レンズ群を移動させ、かつ変倍に伴う像面変動を第４レンズ群を移動させて補正し、合焦の際には、第４レンズ群を移動させて行うズームレンズを開示している。
【０００７】
特許文献３は、物体側より像側へ順に、正の屈折力の第１レンズ群、負の屈折力の第２レンズ群、第３レンズ群、正の屈折力の第４レンズ群、そして第５レンズ群の５つのレンズ群を有し、第２レンズ群の移動によって変倍を行い、変倍に伴う像面変動を第３レンズ群で補正し、第５レンズ群を移動させてフォーカスを行うズームレンズを開示している。
【０００８】
又、５つのレンズ群より成るズームレンズとして、物体側より像側へ順に、正の屈折力の第１レンズ群、負の屈折力の第２レンズ群、正の屈折力の第３レンズ群、負の屈折力の第４レンズ群、正の屈折力の第５レンズ群を有し、広角端から望遠端へのズーミングに際して、第１〜第５レンズ群を移動させるズームレンズが知られている（特許文献４）。
【特許文献１】特開平５−２１５９６７号公報
【特許文献２】特開平６−３１７７５２号公報
【特許文献３】特開２０００−１８０７２４号公報
【特許文献４】特開２００２−３６５５４７号公報
【発明の開示】
【発明が解決しようとする課題】
【０００９】
近年、デジタルカメラやビデオカメラ、ＰＤＡ（Personal Digital Assistant）などの光学機器に用いるズームレンズには撮像素子の狭画素化に伴い、高い光学性能を有し、かつレンズ全長の短い小型のズームレンズが要望されている。
【００１０】
一般にズームレンズにおいて、各レンズ群の屈折力を強めれば所定のズーム比を得るための各レンズ群の移動量が少なくなり、レンズ全長の短縮化を図ることが可能となる。
【００１１】
しかしながら単に各レンズ群の屈折力を強めるとズーミングに伴う収差変動が大きくなり、全ズーム範囲にわたる良好な光学性能を得るのが難しくなってくる。
【００１２】
本発明は、全ズーム範囲にわたり、高い光学性能を有したズームレンズ及びそれを用いた撮像装置の提供を目的とする。
【課題を解決するための手段】
【００１３】
本発明のズームレンズは、物体側から像側へ順に、正の屈折力の第１レンズ群、負の屈折力の第２レンズ群、正の屈折力の第３レンズ群、第４レンズ群、正の屈折力の第５レンズ群とを有し、該第２、第３、第５レンズ群は、ズームレンズに際して移動するレンズ群であることを特徴としている。
【発明の効果】
【００１４】
本発明によれば、全ズーム範囲にわたり、高い光学性能を有したズームレンズが得られる。
【発明を実施するための最良の形態】
【００１５】
【実施例１】
【００１６】
以下、本発明のズームレンズ及びそれを有する撮像装置の実施例について説明する。
【００１７】
図１は本発明の実施例１のズームレンズの広角端におけるレンズ断面図、図２、図３、図４はそれぞれ実施例１のズームレンズの広角端、中間のズーム位置、望遠端における収差図である。
【００１８】
図５は本発明の実施例２のズームレンズの広角端におけるレンズ断面図、図６、図７、図８はそれぞれ実施例２のズームレンズの広角端、中間のズーム位置、望遠端における収差図である。
【００１９】
図９は本発明の実施例３のズームレンズの広角端におけるレンズ断面図、図１０、図１１、図１２はそれぞれ実施例３のズームレンズの広角端、中間のズーム位置、望遠端における収差図である。
【００２０】
図１３は本発明のズームレンズを備えるビデオカメラ（撮像装置）の要部概略図である。
【００２１】
各実施例のズームレンズは撮像装置に用いられる撮影レンズ系であり、レンズ断面図において、左方が被写体側（前方）で、右方が像側（後方）である。レンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は第４レンズ群、Ｌ５は正の屈折力の第５レンズ群である。
【００２２】
数値実施例１、３では、第４レンズ群Ｌ４は正の屈折力であり、数値実施例２では第４レンズ群Ｌ４は負の屈折力である。
【００２３】
ＳＰは固定の開口絞りであり、第４レンズ群Ｌ４の物体側に位置している。
【００２４】
開口絞りＳＰはズーミングに際して固定である。
【００２５】
Ｇは光学フィルター、フェースプレート等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する。
【００２６】
収差図において、ＦｎｏはＦナンバー、ｄ、ｇは各々ｄ線及びｇ線、ωは半画角、ΔＭ，ΔＳはメリディオナル像面、サジタル像面、倍率色収差はｇ線によって表わしている。
【００２７】
尚、以下の各実施例において広角端と望遠端は変倍用レンズ群（第２レンズ群）Ｌ２が機構上光軸上移動可能な範囲の両端に位置したときのズーム位置をいう。
【００２８】
各実施例のズームレンズでは、広角端から望遠端へのズーミングに際して、矢印のように第２レンズ群Ｌ２を像側へ移動させて変倍を行うと共に、第３レンズ群Ｌ３を物体側に凸状の軌跡の一部を有しつつ移動させている。
【００２９】
また、第５レンズ群Ｌ５を光軸上移動させてフォーカスを行うリアフォーカス式を採用している。
【００３０】
例えば望遠端において無限遠物体から近距離物体へのフォーカスは、同図の直線５ｃに示すように、第５レンズ群Ｌ５を前方へ繰り出すことにより行っている、また、同図に示す第５レンズ群Ｌ５の実線の移動軌跡である曲線５ａと点線の曲線５ｂは、各々無限遠物体と近距離物体にフォーカスしているときの広角端から望遠端へのズーミングに伴う像面変動を補正するための移動軌跡を示している。第５レンズ群Ｌ５を物体側へ凸状の軌跡の一部を有するように移動させることにより、第４レンズ群Ｌ４と第５レンズ群Ｌ５との空間の有効利用を図りレンズ全長の短縮化を効果的に達成している。このように第５レンズ群Ｌ５のズーミングにおける移動軌跡は物体距離によって異なっている。
【００３１】
各実施例において、前玉有効径（第１レンズ群Ｌ１の有効径）は広角端と望遠端の中間焦点距離のズーム位置で決定される。
【００３２】
このため、広角端から望遠端へのズーミングに際し、第３レンズ群Ｌ３が物体側に凸状の軌跡の一部を有するように移動させて、前玉有効径の増大を防止している。
【００３３】
即ち第３レンズ群第３レンズ群Ｌ３を中間焦点距離のズーム位置において物体側に位置するように移動させる事により、入射瞳を物体側に近づけて、前玉有効径の増加を防いでいる。
【００３４】
また、望遠端における第３レンズ群Ｌ３の位置が広角端における第３レンズ群Ｌ３の位置に近づくように移動させて、変倍に大きく寄与する第２レンズ群Ｌ２の変倍効果を妨げる事がないようにして高いズーム比を容易に実現している。
【００３５】
ズーミングに際して、開口絞りＳＰを移動させても良いが、開口絞りＳＰを動かすにはメカ構造が複雑となるので、各実施例では固定としている。第４レンズ群Ｌ４を、ズーミングに際して可動にする場合であって第３レンズ群Ｌ３との距離変動が大きいとアフォーカル部での収差変動が大きくなってくる。そうすると第３レンズ群Ｌ３と第４レンズ群Ｌ４のズーミングに際しての距離変動が大きくなったときに生ずる収差変動を抑えるには第３レンズ群Ｌ３及び第４レンズ群Ｌ４のレンズ枚数を増加したり、非球面を用いることが必要となる。
【００３６】
また、ズーミングに際して、第３レンズ群Ｌ３と第４レンズ群Ｌ４の距離を保ちつつ第４レンズ群Ｌ４を動かすことは、第４レンズ群Ｌ４を望遠端近傍での位置が中間焦点距離のズーム位置での位置よりも像面側に移動させる必要がある。そうすると第５レンズ群Ｌ５が望遠端近傍で最も物体側に移動した際に第４レンズ群Ｌ４と第５レンズ群Ｌ５の間隔が所定量必要になり、この結果レンズ全長が増加してくる。
【００３７】
この為、各実施例では、ズーミングに際して第４レンズ群Ｌ４を開口絞りＳＰに近い位置で固定としている。
【００３８】
同様に、ズーミングに際して第５レンズ群Ｌ５を固定とし、第４レンズ群Ｌ４で変倍時の像面補正及びフォーカシングを行う方法をとると第３レンズ群Ｌ３と第４レンズ群Ｌ４のズーミングの際の距離変動が大きくなってくるので、フォーカシングを第５レンズ群Ｌ５で行っている。
【００３９】
第４レンズ群Ｌ４内で十分に色消しを行っておかないと第３レンズ群Ｌ３と第４レンズ群Ｌ４とで色消しをしなければならない。そうすると第３レンズ群Ｌ３と第４レンズ群Ｌ４の間隔がズーミングに際して変化する為、色収差の変動が大きくなってくるので良くない。
【００４０】
そこで各実施例では、第４レンズ群Ｌ４を負レンズと正レンズとの接合レンズとして色収差を良好に補正している。
【００４１】
各実施例のズームレンズは、物体側より像側へ順に、第１レンズ群Ｌ１は物体側の面が凸のメニスカス形状の負の屈折力の第１１レンズと、正の屈折力の第１２レンズとを接合した接合レンズ、物体側の面が凸のメニスカス形状の正の屈折力の第１３レンズより成っている。
【００４２】
第２レンズ群Ｌ２は物体側から像側に順に、物体側の面が凸のメニスカス形状の負の屈折力の第２１レンズと、物体側と像側の面が凹形状の負の屈折力の第２２レンズと、物体側の面が凸形状の正の屈折力の第２３レンズより、又は、物体側の面が凸のメニスカス形状の負の屈折力の第２１レンズと、物体側と像側の面が凹形状の負の屈折力の第２２レンズと、物体側の面が凸形状の正の屈折力の第２３レンズと、像側の面が凹形状の負の屈折力の第２４レンズより成っている。
【００４３】
第３レンズ群Ｌ３は、両レンズ面が凸形状の第３１レンズより成っている。
【００４４】
第５レンズ群Ｌ５は、物体側と像側の面が凸形状の正の屈折力の第５１レンズと、像側の面が凸のメニスカス形状の負の屈折力の第５２レンズとを接合した接合レンズより成っている。
【００４５】
これによって第５レンズ群Ｌ５でフォーカスするときの収差変動が少なくなるようにしている。
【００４６】
各実施例では以上のように各レンズ群の屈折力及びズーミングに際しての移動条件等を特定することによって、レンズ系全体を小型化し、簡易なレンズ構成にもかかわらず、全変倍範囲、又、物体距離全般にわたり高い光学性能を得ている。
【００４７】
各実施例においては、広角端から望遠端へのズーミングに際して、第３レンズ群Ｌ３は、物体側に凸状の軌跡を有するように移動し、第３レンズ群Ｌ３がズーミングに際して最も物体側に位置するときのズーム位置をＺａとし、広角端からズーム位置Ｚaに至るまでの第２レンズ群Ｌ２の光軸方向の移動量（像側へ移動するときを正の符号）を、Ｄ２ｍ、広角端から望遠端に至るまでの第２レンズ群Ｌ２の移動量をＤ２ｔとするとき、
【００４８】
【数３】
2006184776.tif 000003
【００４９】
なる条件を満足している。
【００５０】
条件式（１）は十分なズーム比を確保しつつ、前玉有効径（第１レンズ群Ｌ１の有効径）を小さくする為の条件である。ズーミング中の収差変動を小さく抑える為には、第３レンズ群Ｌ３の移動は急激でない事が望ましい。条件式（１）の上限値を超えると、第３レンズ群Ｌ３が第２レンズ群Ｌ２の移動を妨げてしまいズーム比を十分に確保するのが困難になる。逆に下限値を超えると、第３レンズ群Ｌ３が広角端において開口絞りＳＰから離れた物体側に位置し、広角端の焦点距離が望遠側に寄ってしまい、広角化を妨げると同時に十分なズーム比が得られなくなってくる。
【００５１】
更に好ましくは、条件式（１）の数値範囲を
【００５２】
【数４】
2006184776.tif 000004
【００５３】
の如く設定するのが良い。
【００５４】
又、広角端における第１レンズ群Ｌ１と第３レンズ群Ｌ３の間隔をＢ１３ｗ、第２レンズ群Ｌ２の最も物体側の面から最も像側の面までの間隔をＢ２とするとき、
【００５５】
【数５】
2006184776.tif 000005
【００５６】
なる条件を満足している。
【００５７】
条件式（２）は高いズーム比を確保する為の条件である。第２レンズ群Ｌ２の移動は変倍に大きく寄与するが、条件式（２）の上限値を超えると、第３レンズ群Ｌ３が第２レンズ群Ｌ２の移動距離を減らしてしまいズーム比を効率よく得るのが難しくなる。逆に下限値を超えると、広角端における第１レンズ群Ｌ１と第２レンズ群Ｌ２の間隔、望遠端における第２レンズ群Ｌ２と第３レンズ群Ｌ３の間隔、望遠端における第３レンズ群Ｌ３と絞りＳＰの間隔が少なくなり鏡筒や遮光部材の入るスペースが十分確保できなくなるので良くない。
【００５８】
更に好ましくは、条件式（２）の数値範囲を
【００５９】
【数６】
2006184776.tif 000006
【００６０】
の如く設定するのが良い。
【００６１】
尚、各実施例において、第１レンズ群Ｌ１の物体側や第５レンズ群Ｌ５の像側に光学フィルターや屈折力の小さなレンズ群を付加しても良い。
【００６２】
又、テレコンバーターレンズやワイドコンバーターレンズ等を物体側や像側に配置しても良い。
【００６３】
次に本発明のズームレンズを撮影光学系として用いたビデオカメラ（撮像装置）の実施形態を図１３を用いて説明する。
【００６４】
図１３において、１０はビデオカメラ本体またはデジタルスチルカメラ本体、１１は本発明のズームレンズによって構成された撮影光学系、１２は撮影光学系１１によって被写体像を受光するＣＣＤ等の撮像素子、１３は撮像素子１２が受光した被写体像を記録する記録手段、１４は不図示の表示素子に表示された被写体像を観察するためのファインダーである。上記表示素子は液晶パネル等によって構成され、撮像素子１２上に形成された被写体像が表示される。
【００６５】
このように本発明のズームレンズをビデオカメラ等の撮像装置に適用することにより、小型で高い光学性能を有する撮像装置を実現している。
【００６６】
尚、本発明のズームレンズは、デジタルカメラにも適用することができる。
【００６７】
以下に、実施例１〜３に各々対応する数値実施例１〜３を示す。各数値実施例において、ｉは物体側からの面の順番を示し、Ｒｉは第ｉ番目の面（第ｉ面）の曲率半径、Ｄｉは第ｉ面と第（ｉ＋１）面との間の間隔、Ｎｉ，νｉはそれぞれｄ線を基準とした屈折率、アッベ数を示す。
【００６８】
また、数値実施例１〜３において最も像側の７つの面は光学ブロックに相当する平面である。非球面形状は光軸型の高さｈの位置での光軸方向の変位を面頂点を基準にしてＸとするとき、
【００６９】
【数７】
2006184776.tif 000007
【００７０】
で表わされる。但しＲは近軸曲率半径、ｋは円錐定数、Ｂ，Ｃ，Ｄ，Ｅ，Ｆは非球面係数である。
【００７１】
又、「ｅ−Ｘ」は「×１０−Ｘ」を意味している。ｆは焦点距離、ＦｎｏはＦナンバー、ωは半画角を示す。
【００７２】
又前述の各条件式と数値実施例における諸数値との関係を表１に示す。
数値実施例1 
ｆ＝ 3.60 〜 71.20 Ｆｎｏ＝ 1.85 〜 3.50 ２ω＝30.2゜〜 1.6゜
R 1 =   56.063 D 1 = 1.10 N 1 = 1.846660 ν 1 = 23.9
R 2 =   20.331 D 2 = 4.86 N 2 = 1.696797 ν 2 = 55.5
R 3 = -276.129 D 3 = 0.20
R 4 =   19.608 D 4 = 2.71 N 3 = 1.834807 ν 3 = 42.7
R 5 =   49.490 D 5 = 可変
R 6 =   58.061 D 6 = 0.60 N 4 = 1.882997 ν 4 = 40.8
R 7 =   4.489 D 7 = 2.24
R 8 = -19.378 D 8 = 0.60 N 5 = 1.882997 ν 5 = 40.8
R 9 =  17.686 D 9 = 0.50
R10 =   8.598 D10 = 1.68 N 6 = 1.922860 ν 6 = 18.9
R11 =  71.506 D11 = 0.53
R12 =  13.925 D12 = 0.60 N 7 = 1.882997 ν 7 = 40.8
R13 =   9.594 D13 = 可変
R14 =  12.534 D14 = 2.23 N 8 = 1.583126 ν 8 = 59.4
R15 = -36.763 D15 = 可変
R16 =    絞り D16 = 2.07
R17 = -86.765 D17 = 0.60 N 9 = 1.846660 ν 9 = 23.9
R18 =  15.703 D18 = 1.98 N10 = 1.518229 ν10 = 58.9
R19 = -16.628 D19 = 可変
R20 =  11.341 D20 = 2.99 N11 = 1.581439 ν11 = 40.8
R21 =  -6.769 D21 = 0.60 N12 = 1.846660 ν12 = 23.9
R22 = -15.412 D22 = 可変
R23 =    ∞   D23 = 0.30 N13 = 1.544000 ν13 = 70.0
R24 =    ∞   D24 = 1.20 N14 = 1.514000 ν14 = 60.0
R25 =    ∞   D25 = 0.42 N15 = 1.544000 ν15 = 70.0
R26 =    ∞   D26 = 0.70
R27 =    ∞   D27 = 0.70 N16 = 1.500000 ν16 = 60.0
R28 =    ∞   D28 = 1.19
R29 =    ∞
＼焦点距離 3.60  7.54 71.20
可変間隔＼
D 5       0.75  7.84  18.48
D13      17.73 10.09  0.79 
D15       2.08  2.64       1.30
D19       7.58  4.90  10.30
D22       4.45  7.13   1.73
非球面係数
R14 ｋ=1.37063e-02 Ｂ=-1.72574e-04 Ｃ=7.38704e-06 Ｄ=-1.06047e-06 
Ｅ=6.48439e-08 Ｆ=-1.40426e-09
数値実施例2 
ｆ＝ 3.60 〜 71.21 Ｆｎｏ＝ 1.85 〜 3.50 ２ω＝30.2゜〜 1.6゜
R 1 =   57.250 D 1 = 1.10 N 1 = 1.846660 ν 1 = 23.9
R 2 =   20.429 D 2 = 4.86 N 2 = 1.696797 ν 2 = 55.5
R 3 = -251.049 D 3 = 0.20
R 4 =   19.394 D 4 = 2.54 N 3 = 1.834807 ν 3 = 42.7
R 5 =   47.723 D 5 = 可変
R 6 =   37.814 D 6 = 0.60 N 4 = 1.882997 ν 4 = 40.8
R 7 =    4.599 D 7 = 1.96
R 8 =  -10.908 D 8 = 0.60 N 5 = 1.882997 ν 5 = 40.8
R 9 =    9.775 D 9 = 0.50
R10 =   10.214 D10 = 1.57 N 6 = 1.922860 ν 6 = 18.9
R11 =  -60.996 D11 = 可変
R12 =   13.102 D12 = 2.60 N 7 = 1.583126 ν 7 = 59.4
R13 =  -20.795 D13 = 可変
R14 =    絞り  D14 = 2.11
R15 =  -80.516 D15 = 0.60 N 8 = 1.846660 ν 8 = 23.9
R16 =   15.401 D16 = 2.03 N 9 = 1.518229 ν 9 = 58.9
R17 =  -18.147 D17 = 可変
R18 =   11.304 D18 = 2.91 N10 = 1.581439 ν10 = 40.8
R19 =   -6.791 D19 = 0.60 N11 = 1.846660 ν11 = 23.9
R20 =  -16.371 D20 = 可変
R21 =     ∞   D21 = 0.30 N12 = 1.544000 ν12 = 70.0
R22 =     ∞   D22 = 1.20 N13 = 1.514000 ν13 = 60.0
R23 =     ∞   D23 = 0.42 N14 = 1.544000 ν14 = 70.0
R24 =     ∞   D24 = 0.70
R25 =     ∞   D25 = 0.70 N15 = 1.500000 ν15 = 60.0
R26 =     ∞   D26 = 1.19
R27 =     ∞
＼焦点距離 3.60  8.66  71.21
可変間隔＼
D 5       0.75  9.47   18.92
D11      19.07  9.73    1.03
D13       1.60  2.22    1.47
D17      10.07  6.00   10.65
D20       2.34  6.41    1.77
非球面係数
R14 ｋ=9.53172e-01 Ｂ=-2.45509e-04 Ｃ=3.84100e-06 Ｄ=-4.36992e-07 
Ｅ=1.93367e-08 Ｆ=-3.14843e-10 
数値実施例3 
ｆ＝ 3.60 〜 71.20 Ｆｎｏ＝ 1.85 〜 3.50 ２ω＝29.9゜〜 1.6゜
R 1 =   49.643 D 1 = 1.10 N 1 = 1.846660 ν 1 = 23.9
R 2 =   20.293 D 2 = 4.25 N 2 = 1.696797 ν 2 = 55.5
R 3 = -282.663 D 3 = 0.20
R 4 =   18.571 D 4 = 2.64 N 3 = 1.804000 ν 3 = 46.6
R 5 =   41.963 D 5 = 可変
R 6 =   27.302 D 6 = 0.60 N 4 = 1.882997 ν 4 = 40.8
R 7 =    4.164 D 7 = 2.45
R 8 =  -16.016 D 8 = 0.60 N 5 = 1.882997 ν 5 = 40.8
R 9 =   19.330 D 9 = 0.50
R10 =    9.019 D10 = 1.64 N 6 = 1.922860 ν 6 = 18.9
R11 =   95.084 D11 = 0.57
R12 =   14.985 D12 = 0.60 N 7 = 1.834000 ν 7 = 37.2
R13 =   10.483 D13 = 可変
R14 =   17.404 D14 = 2.24 N 8 = 1.583126 ν 8 = 59.4
R15 =  -23.178 D15 = 可変
R16 =     絞り D16 = 2.13
R17 = -891.975 D17 = 0.60 N 9 = 1.846660 ν 9 = 23.9
R18 =   14.695 D18 = 2.18 N10 = 1.517417 ν10 = 52.4
R19 =  -15.927 D19 = 可変
R20 =   14.659 D20 = 2.63 N11 = 1.622992 ν11 = 58.2
R21 =   -7.342 D21 = 0.60 N12 = 1.806100 ν12 = 33.3
R22 =  -17.649 D22 = 可変
R23 =      ∞  D23 = 0.30 N13 = 1.544000 ν13 = 70.0
R24 =      ∞  D24 = 1.20 N14 = 1.514000 ν14 = 60.0
R25 =      ∞  D25 = 0.42 N15 = 1.544000 ν15 = 70.0
R26 =      ∞  D26 = 0.70
R27 =      ∞  D27 = 0.70 N16 = 1.500000 ν16 = 60.0
R28 =      ∞  D28 = 1.19
R29 =      ∞
＼焦点距離 3.60  6.88 71.20
可変間隔＼
D 5       0.38  5.60  17.89
D13      17.79  8.63   1.00
D15       1.89  3.22   1.26
D19       8.86  5.18  11.82
D22       4.11  7.79   1.15
非球面係数
R14 ｋ=1.78298e+00 Ｂ=-2.00006e-04 Ｃ=6.16221e-06 Ｄ=-8.48480e-07 
Ｅ=4.96148e-08 Ｆ=-1.03752e-09 
【００７３】
【表１】
2006184776.tif 000008
【図面の簡単な説明】
【００７４】
【図１】実施例１のレンズ断面図
【図２】実施例１に対応する数値実施例の広角端における収差図
【図３】実施例１に対応する数値実施例の中間のズーム位置における収差図
【図４】実施例１に対応する数値実施例の望遠端における収差図
【図５】実施例２のレンズ断面図
【図６】実施例２に対応する数値実施例の広角端における収差図
【図７】実施例２に対応する数値実施例の中間のズーム位置における収差図
【図８】実施例２に対応する数値実施例の望遠端における収差図
【図９】実施例３のレンズ断面図
【図１０】実施例３に対応する数値実施例の広角端における収差図
【図１１】実施例３に対応する数値実施例の中間のズーム位置における収差図
【図１２】実施例３に対応する数値実施例の望遠端における収差図
【図１３】本発明の撮像装置の要部概略図
【符号の説明】
【００７５】
Ｌ１：第１レンズ群
Ｌ２：第２レンズ群
Ｌ３：第３レンズ群
Ｌ４：第４レンズ群
Ｌ５：第５レンズ群
ＳＰ：開口絞り
ＩＰ：像面
ｄ  ：ｄ線
ｇ  ：ｇ線
ΔＳ：サジタル像面
ΔＭ：メリディオナル像面
ω  ：半画角
【図１】
2006184776.tif 000011
【図２】
2006184776.tif 000012
【図３】
2006184776.tif 000013
【図４】
2006184776.tif 000014
【図５】
2006184776.tif 000015
【図６】
2006184776.tif 000016
【図７】
2006184776.tif 000017
【図８】
2006184776.tif 000018
【図９】
2006184776.tif 000019
【図１０】
2006184776.tif 000020
【図１１】
2006184776.tif 000021
【図１２】
2006184776.tif 000022
【図１３】
2006184776.tif 000023